【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
コンテンツを再生する再生システムにおいて、
コンテンツのカテゴリを判定するカテゴリ判定手段と、
コンテンツの各カテゴリについて、コンテンツの内容に応じた特殊再生の種類ごとに規定されている再生ルールであって、コンテンツの前記特殊再生をするときに再生対象とするコンテンツの特定の内容の部分を決定するための前記再生ルールのうちの、注目している注目コンテンツのカテゴリについての前記再生ルールに基づき、前記注目コンテンツの前記特殊再生をするときに再生対象とする前記注目コンテンツの特定の内容の部分を、前記特殊再生の種類ごとに決定し、前記再生対象とする前記注目コンテンツの特定の内容の部分を表す再生対象情報と前記注目コンテンツを識別する識別情報とを対応付けた再生指示データを生成する再生指示データ生成手段と、
前記再生指示データにおいて、ユーザが指定したコンテンツの識別情報に対応付けられている、前記ユーザが指定した前記特殊再生の種類についての前記再生対象情報を取得する取得手段と、
前記取得手段において取得された前記再生対象情報が表すコンテンツの特定の内容の部分を、前記ユーザが指定したコンテンツから抽出する抽出手段と
を備える再生システム。
【請求項２】
前記特殊再生の種類は、要約再生やハイライト再生などである
ことを特徴する請求項１に記載の再生システム。
【請求項３】
前記カテゴリ判定手段は、前記コンテンツに含まれる文字認識、画像認識、又はコンテンツの音声認識の結果に基づいてカテゴリを判定する
ことを特徴する請求項１に記載の再生システム。
【請求項４】
前記カテゴリ判定手段は、前記コンテンツに含まれるメタデータ、クローズドキャプション、又は番組表情報を用いてカテゴリを判定する
ことを特徴する請求項１に記載の再生システム。
【請求項５】
前記再生ルールは、更新される
ことを特徴する請求項１に記載の再生システム。
【請求項６】
前記再生ルールは、インタネット上のサイトから提供される
ことを特徴する請求項１に記載の再生システム。
【請求項７】
前記再生ルールは、データ放送等により放送され、更新される
ことを特徴する請求項１に記載の再生システム。
【請求項８】
コンテンツを再生する再生装置において、
コンテンツの内容に応じた特殊再生をするときに再生対象とする前記コンテンツの特定の内容の部分を表す、前記特殊再生の種類ごとの再生対象情報と、前記コンテンツを識別する識別情報とを対応付けた再生指示データにおいて、ユーザが指定したコンテンツの識別情報に対応付けられている、前記ユーザが指定した前記特殊再生の種類についての前記再生対象情報を取得する取得手段と、
前記取得手段において取得された前記再生対象情報が表すコンテンツの特定の内容の部分を、前記ユーザが指定したコンテンツから抽出する抽出手段と
を備える再生装置。
【請求項９】
前記再生指示データは、
コンテンツの各カテゴリについて、前記特殊再生の種類ごとに規定されている再生ルールであって、コンテンツの前記特殊再生をするときに再生対象とするコンテンツの特定の内容の部分を決定するための前記再生ルールのうちの、注目している注目コンテンツのカテゴリについての前記再生ルールに基づき、前記注目コンテンツの前記特殊再生をするときに再生対象とする前記注目コンテンツの特定の内容の部分を、前記特殊再生の種類ごとに決定し、前記再生対象とする前記注目コンテンツの特定の内容の部分を表す前記再生対象情報と前記注目コンテンツを識別する前記識別情報とを対応付ける
ことにより生成されたデータである
請求項８に記載の再生装置。
【請求項１０】
コンテンツを再生する再生方法において、
コンテンツの内容に応じた特殊再生をするときに再生対象とする前記コンテンツの特定の内容の部分を表す、前記特殊再生の種類ごとの再生対象情報と、前記コンテンツを識別する識別情報とを対応付けた再生指示データにおいて、ユーザが指定したコンテンツの識別情報に対応付けられている、前記ユーザが指定した特殊再生の種類についての前記再生対象情報を取得し、
その再生対象情報が表すコンテンツの特定の内容の部分を、前記ユーザが指定したコンテンツから抽出する
ステップを含む再生方法。
【請求項１１】
コンテンツを再生する処理を、コンピュータに実行させるプログラムにおいて、
コンテンツの内容に応じた特殊再生をするときに再生対象とする前記コンテンツの特定の内容の部分を表す、前記特殊再生の種類ごとの再生対象情報と、前記コンテンツを識別する識別情報とを対応付けた再生指示データにおいて、ユーザが指定したコンテンツの識別情報に対応付けられている、前記ユーザが指定した特殊再生の種類についての前記再生対象情報を取得し、
その再生対象情報が表すコンテンツの特定の内容の部分を、前記ユーザが指定したコンテンツから抽出する
ステップを含む処理をコンピュータに実行させるプログラム。
【請求項１２】
コンテンツを処理する情報処理装置において、
コンテンツのカテゴリを判定するカテゴリ判定手段と、
コンテンツの各カテゴリについて、コンテンツの内容に応じた特殊再生の種類ごとに規定されている再生ルールであって、コンテンツの前記特殊再生をするときに再生対象とするコンテンツの特定の内容の部分を決定するための前記再生ルールのうちの、注目している注目コンテンツのカテゴリについての前記再生ルールに基づき、前記注目コンテンツの前記特殊再生をするときに再生対象とする前記注目コンテンツの特定の内容の部分を、前記特殊再生の種類ごとに決定し、前記再生対象とする前記注目コンテンツの特定の内容の部分を表す再生対象情報と前記注目コンテンツを識別する識別情報とを対応付けた再生指示データを生成する再生指示データ生成手段と
を備える情報処理装置。
【請求項１３】
前記再生指示データ生成手段は、コンテンツを視聴するユーザに関する情報にも基づき、前記再生指示データを生成する
請求項１２に記載の情報処理装置。
【請求項１４】
前記再生指示データ生成手段は、前記再生対象とする前記注目コンテンツの特定の内容の部分を再生する再生時間の総和が、あらかじめ設定された設定時間または前記設定時間に近い時間になるように、前記注目コンテンツの前記特殊再生をするときに前記再生対象とする前記注目コンテンツの特定の内容の部分を決定する
請求項１２に記載の情報処理装置。
【請求項１５】
コンテンツを処理する情報処理方法において、
コンテンツのカテゴリを判定し、
コンテンツの各カテゴリについて、コンテンツの内容に応じた特殊再生の種類ごとに規定されている再生ルールであって、コンテンツの前記特殊再生をするときに再生対象とするコンテンツの特定の内容の部分を決定するための前記再生ルールのうちの、注目している注目コンテンツのカテゴリについての前記再生ルールに基づき、前記注目コンテンツの前記特殊再生をするときに再生対象とする前記注目コンテンツの特定の内容の部分を、前記特殊再生の種類ごとに決定し、前記再生対象とする前記注目コンテンツの特定の内容の部分を表す再生対象情報と前記注目コンテンツを識別する識別情報とを対応付けた再生指示データを生成する
ステップを含む情報処理方法。
【請求項１６】
コンテンツを処理する情報処理を、コンピュータに実行させるプログラムにおいて、
コンテンツのカテゴリを判定し、
コンテンツの各カテゴリについて、コンテンツの内容に応じた特殊再生の種類ごとに規定されている再生ルールであって、コンテンツの前記特殊再生をするときに再生対象とするコンテンツの特定の内容の部分を決定するための前記再生ルールのうちの、注目している注目コンテンツのカテゴリについての前記再生ルールに基づき、前記注目コンテンツの前記特殊再生をするときに再生対象とする前記注目コンテンツの特定の内容の部分を、前記特殊再生の種類ごとに決定し、前記再生対象とする前記注目コンテンツの特定の内容の部分を表す再生対象情報と前記注目コンテンツを識別する識別情報とを対応付けた再生指示データを生成する
ステップを含む情報処理を、コンピュータに実行させるプログラム。
【手続補正２】
【補正対象書類名】明細書
【補正対象項目名】００７１
【補正方法】変更
【補正の内容】
【００７１】
図２では、再生対象情報として、コンテンツの先頭のフレームからのフレーム数（以下、適宜、フレーム番号という）が採用されている。そして、図２の、例えば、上から１行目の再生指示データにおいては、識別情報c1に、その識別情報c1によって識別されるコンテンツの要約再生をするときの再生対象を表す再生対象情報であるフレーム番号として、1,2,3,10,11,12,・・・が対応付けられ、ハイライト再生をするときの再生対象を表す再生対象情報であるフレーム番号として、4,5,6,7,31,32,33,・・・が対応付けられている。